(57)【要約】【課題】フィルターのメンテナンスによる手間を軽減する。【解決手段】フィルター構造は、吸気口１０ａを有し、当該吸気口１０ａから取り込んだ気体を圧縮し圧縮された当該気体を患者の呼吸器に供給する送風機１０と、この送風機１０を収容すると共に、吸気口１０ａに繋がる通気口１５ａを有する筐体１５と、少なくとも一部がフィルター材料である不織紙１６ａからなり、筐体１５を包み込む袋１６と、筐体１５及び袋１６の間に介在し、通気口１５ａ及び不織紙１６ａの間にチャンバーＣＡＭを形成するチャンバー形成部材１７と、を備えている。【選択図】図２
2015123154.tif 000002
【特許請求の範囲】
【請求項１】
吸気口を有し、該吸気口から取り込んだ気体を圧縮し圧縮された該気体を利用者の呼吸器に供給する送風機と、
前記送風機を収容すると共に、前記吸気口に繋がる通気口を有する筐体と、
少なくとも一部がフィルター材料からなり、前記筐体を包み込む袋と、
前記筐体及び前記袋の間に介在し、前記通気口及び前記フィルター材料の間にチャンバーを形成するチャンバー形成部材と、を備えることを特徴とする、
フィルター構造。
【請求項２】
前記袋は、開口を閉じることで形成されるものであり、交換可能であることを特徴とする、
請求項１に記載のフィルター構造。
【請求項３】
前記開口は、開封及び再封可能であることを特徴とする、
請求項２に記載のフィルター構造。
【請求項４】
少なくとも一部がフィルター材料からなり、利用者の口又は鼻を覆って該利用者の顔面との間にチャンバーを形成するマスクと、
前記チャンバー内に設けられ、前記チャンバー内の気体を取り込む吸気口を有し、該吸気口から取り込んだ気体を圧縮し圧縮された該気体を前記利用者の呼吸器に供給する送風機と、を備えることを特徴とする、
フィルター構造。
【請求項５】
利用者の口又は鼻を覆うマスクと、
前記マスクに設けられ、該マスクの外側から気体を取り込む吸気口を有し、該吸気口から取り込んだ気体を圧縮し圧縮された該気体を該マスクの内側を経由させて前記利用者の呼吸器に供給する送風機と、
少なくとも一部がフィルター材料からなり、前記マスクを包み込むカバーと、
前記マスク及び前記カバーの間に介在し、前記吸気口及び前記フィルター材料の間にチャンバーを形成するチャンバー形成部材と、を備えることを特徴とする、
フィルター構造。
【請求項６】
前記フィルター材料は、不織紙であることを特徴とする、
請求項１〜５のいずれかに記載のフィルター構造。
【発明の詳細な説明】
【技術分野】
【０００１】
本発明は、送風機のフィルター構造に関する。
【背景技術】
【０００２】
睡眠時の無呼吸は、睡眠中に気道の筋肉が弛緩して舌根部や軟口蓋が下がり、気道を閉塞することによって生じる。この種の呼吸障害の患者に対しては、呼吸補助装置が利用され、気道に陽圧（正圧）を印加して閉塞を防止している（特許文献１参照）。
【０００３】
呼吸補助装置が備える送風機（ブロア）は、吸気口を有し、当該吸気口から取り込んだ空気などの気体を圧縮し圧縮された当該気体を患者の気道に供給する。このような送風機は、吸気口にフィルターを取り付けて、吸い込む気体に菌やウイルス、塵埃が混入することを防いでいる。
【先行技術文献】
【特許文献】
【０００４】
【特許文献１】特開２０１３−０７１００４号公報
【発明の概要】
【発明が解決しようとする課題】
【０００５】
しかしながら、吸気口は大きくないので、その吸気口に取り付けたフィルターの面積も大きくなく、当該フィルターは目詰まりを起こしやすい。フィルターが目詰まりを起こした場合、送風機の性能が下がり、患者の気道に十分な量の気体を供給できず、気道の閉塞を防止することができない。すなわち、呼吸補助装置を利用した治療を施しているにもかかわらず、無呼吸に陥る危険がある。このような危険を回避するには、フィルターを交換するなどのメンテナンスが定期的に必要となる。使用する環境によっては、フィルターのメンテナンスの頻度が高くなり、手間となる。
【０００６】
本発明は、上記課題を鑑みてなされたものであり、フィルターのメンテナンスによる手間を軽減するフィルター構造を提供することを目的とする。
【課題を解決するための手段】
【０００７】
（１）本発明は、吸気口を有し、該吸気口から取り込んだ気体を圧縮し圧縮された該気体を利用者の呼吸器に供給する送風機と、前記送風機を収容すると共に、前記吸気口に繋がる通気口を有する筐体と、少なくとも一部がフィルター材料からなり、前記筐体を包み込む袋と、前記筐体及び前記袋の間に介在し、前記通気口及び前記フィルター材料の間にチャンバーを形成するチャンバー形成部材と、を備えることを特徴とする、フィルター構造である。
【０００８】
本発明によれば、フィルターの面積を桁違いに大きくすることができる。これにより、フィルターの一部が目詰まりを起こした場合であっても、送風機の性能は下がらず、利用者の気道に十分な量の気体を供給することができる。このため、フィルターの一部に目詰まりがあった場合であっても、当該フィルターのメンテナンスは必要ない。すなわち、フィルターのメンテナンスによる手間を軽減することができる。
【０００９】
そして、フィルター材料からなる袋で装置全体を包み込むので、当該装置を菌やウイルス、汚れから守ることができる。
【００１０】
また、袋の外側に模様又は色彩を施すことで、デザイン性を向上させることができる。結果、医療器具であるという暗いイメージを払拭することができる。これにより、利用者が気軽に利用することができる。ひいては、製品価値を高めることができる。
【００１１】
（２）本発明はまた、前記袋は、開口を閉じることで形成されるものであり、交換可能であることを特徴とする、上記（１）に記載のフィルター構造である。
【００１２】
上記発明によれば、フィルターの交換が容易となる。結果、フィルターのメンテナンスによる手間を更に軽減することができる。
【００１３】
そして、異なる模様又は色彩を施した複数種類の袋を交換することで、製品のイメージチェンジを行うことができる。結果、製品価値を更に高めることができる。
【００１４】
（３）本発明はまた、前記開口は、開封及び再封可能であることを特徴とする、上記（２）に記載のフィルター構造である。
【００１５】
上記発明によれば、フィルターを取り外し清掃することができる。結果、フィルターのメンテナンスによる手間を更に軽減することができる。
【００１６】
（４）本発明はまた、少なくとも一部がフィルター材料からなり、利用者の口又は鼻を覆って該利用者の顔面との間にチャンバーを形成するマスクと、前記チャンバーないに設けられ、前記チャンバー内の気体を取り込む吸気口を有し、該吸気口から取り込んだ気体を圧縮し圧縮された該気体を前記利用者の呼吸器に供給する送風機と、を備えることを特徴とする、フィルター構造である。
【００１７】
（５）本発明はまた、利用者の口又は鼻を覆うマスクと、前記マスクに設けられ、該マスクの外側から気体を取り込む吸気口を有し、該吸気口から取り込んだ気体を圧縮し圧縮された該気体を該マスクの内側を経由させて前記利用者の呼吸器に供給する送風機と、少なくとも一部がフィルター材料からなり、前記マスクを包み込むカバーと、前記マスク及び前記カバーの間に介在し、前記吸気口及び前記フィルター材料の間にチャンバーを形成するチャンバー形成部材と、を備えることを特徴とする、フィルター構造である。
【００１８】
上記（４）及び（５）発明によれば、フィルターの面積を桁違いに大きくすることができる。これにより、フィルターの一部が目詰まりを起こした場合であっても、送風機の性能は下がらず、利用者の気道に十分な量の気体を供給することができる。このため、フィルターの一部に目詰まりがあった場合であっても、当該フィルターのメンテナンスは必要ない。すなわち、フィルターのメンテナンスによる手間を軽減することができる。
【００１９】
（６）本発明はまた、前記フィルター材料は、不織紙であることを特徴とする、上記（１）〜（５）のいずれかに記載のフィルター構造である。
【００２０】
上記発明によれば、製造コストを低く抑えることができる。
【００２１】
そして、不織紙に印刷することにより、コストを掛けずに簡単に、袋の外側に模様又は色彩を施すことができる。すなわち、デザイン性を容易に向上させることができる。
【発明の効果】
【００２２】
本発明の上記（１）〜（６）に記載のフィルター構造によれば、フィルターのメンテナンスによる手間を軽減することができるという優れた効果を奏し得る。
【図面の簡単な説明】
【００２３】
【図１】本発明の第１実施形態に係るフィルター構造を採用した呼吸補助装置の外観図である。
【図２】図１に示される呼吸補助装置の内部を示す概略図である。
【図３】本発明の第２実施形態に係るフィルター構造を採用した呼吸補助装置の内部を示す概略図である。
【図４】本発明の第３実施形態に係るフィルター構造を採用した呼吸補助装置の内部を示す概略図である。
【図５】本発明の第４実施形態に係るフィルター構造を採用した呼吸補助装置の内部を示す概略図である。
【図６】本発明の第５実施形態に係るフィルター構造を採用した呼吸補助装置の内部を示す概略図である。
【図７】（Ａ）及び（Ｂ）は、チャンバー形成部材の変形例を示す概略図である。
【発明を実施するための形態】
【００２４】
以下、図面を参照して、本発明に係る呼吸補助装置について詳細に説明する。
【００２５】
［第１実施形態］まず、図１及び図２を用いて、本発明の実施形態に係るフィルター構造を採用した呼吸補助装置１の構成について説明する。図１は、呼吸補助装置１の外観図である。図２は、呼吸補助装置１の内部を示す概略図である。なお、本図及び以降の各図において、一部の構成を適宜省略して、図面を簡略化する。
【００２６】
図１及び図２に示される呼吸補助装置１は、気道に陽圧を作り出すためのものであり、呼吸障害の患者（利用者）が利用する。具体的に、呼吸補助装置１は、送風機１０と、制御ボックス１１と、送気管１２と、電源コード１３と、接続コード１４と、筐体１５と、袋１６と、チャンバー形成部材１７と、Ｏリング１８，１９と、などを備えている。
【００２７】
送風機１０は、筐体１５の中に収容されている。この送風機１０は、制御ボックス１１内の制御ユニット（図示省略）によって制御される。すなわち、送風機１０は、制御ユニットの制御下において動作して、その動作状況が制御ユニットによって管理されている。この送風機１０は、吸気口１０ａと、送気口１０ｂと、などを有する。そして、送風機１０は、吸気口１０ａから取り込んだ空気などの気体を圧縮し圧縮された当該気体を、送気口１０ｂなどを経由させて患者の呼吸器に供給する。なお、送風機１０については、周知であるので具体的な構造の説明を省略するが、例えば、特許第５２１１３０２号を参照されたい。
【００２８】
制御ボックス１１は、筐体１５の中に収容されている。この制御ボックス１１は、モニター１１ａと、ボタン１１ｂと、などを備えている。また、制御ボックス１１は、制御ユニット（図示省略）を内蔵している。モニター１１ａは、例えば液晶モニターであり、呼吸補助装置１の運転状態を表示する。ボタン１１ｂは、マンマシンインターフェースであり、操作されることで制御ユニットに所定の信号を入力する。制御ユニットは、電源コード１３から供給される電力によって動作する。この制御ユニットは、ボタン１１ｂが操作され所定の信号が入力されることで、各種制御を実行する。具体的に、制御ユニットは、ＣＰＵ、ＲＡＭ、及びＲＯＭなどから構成される。ＣＰＵは、いわゆる中央演算処理装置であり、各種プログラムが実行されて各種機能を実現する。ＲＡＭは、ＣＰＵの作業領域として使用される。ＲＯＭは、ＣＰＵで実行される基本ＯＳやプログラムを記憶する。
【００２９】
送気管１２は、筐体１５及び袋１６を貫通するように設けられている。この送気管１２の基端には送風機１０の送気口１０ｂが接続されており、送気管１２の先端には導管２０が着脱可能に接続される。そして、送気管１２は、送風機１０の送気口１０ｂから送り出された気体を、導管２０に導く。
【００３０】
電源コード１３は、制御ボックス１１から延びて、筐体１５及び袋１６を貫通するように設けられている。この電源コード１３は、制御ボックス１１内の制御ユニット（図示省略）に、外部から電力を供給する。
【００３１】
接続コード１４は、制御ボックス１１内の制御ユニット（図示省略）と、送風機１０内のモーター（図示省略）と、を電気的に接続する。この接続コード１４は、制御ユニットからモーターに電気信号を送る。
【００３２】
筐体１５は、送風機１０と、制御ボックス１１と、送気管１２と、などを収容する。この筐体１５には、通気口１５ａなどが形成されている。通気口１５ａは、送風機１０が取り込む空気を、筐体１５の外から内に取り込むために形成されている。そして、筐体１５の外側には、チャンバー形成部材１７を構成する複数の突起１７ａが取り付けられている。
【００３３】
袋１６は、筐体１５を包み込むものであり、窓（符号省略）の開いた不織紙１６ａと、不織紙１６における窓を塞ぐ透明のフィルム１６ｂと、から構成される。不織紙１６ａは、フィルターとして機能する。この不織紙１６ａには、送気管１２を貫通させる孔１６ａ１と、電源コード１３を貫通させる孔１６ａ２と、が形成されている。これらの孔１６ａ１，１６ａ２には、それぞれ、Ｏリング１８，１９が嵌め込まれている。なお、袋１６は、開口（図示省略）を閉じることで形成されるものであり、交換可能である。そして、袋１６の開口は、開封及び再封可能である。また、袋１６は、少なくとも一部が不織紙１６ａから構成されていればよい。さらに、袋１６の外側に模様又は色彩を施すことも可能である。そして、袋１６は、不織紙１６ａ以外の部分が気体を通すことはない。
【００３４】
チャンバー形成部材１７は、筐体１５及び袋１６の間に介在し、筐体１５の通気口１５ａと、袋１６を構成する不織紙１６ａと、の間にチャンバーＣＡＭを形成する。このチャンバー形成部材１７は、筐体１５の外側に取り付けられた複数の突起１７ａから構成される。
【００３５】
Ｏリング１８，１９は、それぞれ、不織紙１６ａに形成された孔１６ａ１，１６ａ２に嵌め込まれている。Ｏリング１８には、送気管１２が嵌め込まれている。Ｏリング１９には、電源コード１３が嵌め込まれている。
【００３６】
導管２０は、送気管１２によって導かれた気体を、患者の呼吸器に導く。
【００３７】
次に、図２を用いて、呼吸補助装置１における気体の流れを説明する。
【００３８】
送風機１０の動作に起因して、袋１６の外部の気体は、不織紙１６ａを透過して袋１６の内部に形成されたチャンバーＣＡＭに取り込まれる。チャンバーＣＡＭに取り込まれた気体は、通気口１５ａを介して筐体１５の内部に取り込まれる。筐体１５の内部に取り込まれた気体は、吸気口１０ａを介して送風機１０に取り込まれる。送風機１０に取り込まれた気体は、圧縮されて、送気口１０ｂ、送気管１２、導管２０などを経由して患者の呼吸器に供給される。
【００３９】
以上説明したように、呼吸補助装置１が採用したフィルター構造によれば、フィルターの面積を桁違いに大きくすることができる。これにより、フィルターである不織紙１６ａの一部が目詰まりを起こした場合であっても、送風機１０の性能は下がらず、患者の気道に十分な量の気体を供給することができる。このため、不織紙１６ａの一部に目詰まりがあった場合であっても、当該不織紙のメンテナンスは必要ない。すなわち、不織紙１６ａのメンテナンスによる手間を軽減することができる。
【００４０】
そして、不織紙１６ａからなる袋１６で装置全体を包み込むので、当該装置を菌やウイルス、汚れから守ることができる。
【００４１】
また、袋１６ａの外側に模様又は色彩を施すことで、デザイン性を向上させることができる。結果、医療器具であるという暗いイメージを払拭することができる。これにより、患者が気軽に利用することができる。ひいては、製品価値を高めることができる。
【００４２】
さらに、袋１６が、開口（図示省略）を閉じることで形成されるものであり、交換可能であるので、フィルターである不織紙１６ａの交換が容易となる。結果、不織紙１６ａのメンテナンスによる手間を更に軽減することができる。
【００４３】
そして、異なる模様又は色彩を施した複数種類の袋１６を交換することで、製品のイメージチェンジを行うことができる。結果、製品価値を更に高めることができる。
【００４４】
また、袋１６の開口（図示省略）が、開封及び再封可能であるので、フィルターである不織紙１６ａを取り外し清掃することができる。結果、不織紙１６ａのメンテナンスによる手間を更に軽減することができる。
【００４５】
さらに、フィルターが不織紙１６ａであるので、製造コストを低く抑えることができる。
【００４６】
そして、不織紙１６ａに印刷することにより、コストを掛けず簡単に、袋１６の外側に模様又は色彩を施すことができる。すなわち、デザイン性を容易に向上させることができる。
【００４７】
［第２実施形態］次に、図３を用いて、本発明の実施形態に係るフィルター構造を採用した呼吸補助装置２の構成について説明する。図３は、呼吸補助装置２の内部を示す概略図である。なお、ここでは、呼吸補助装置２の特徴部分のみを説明し、呼吸補助装置１と同様の構成、作用、及び効果についての説明は適宜省略する。また、以降に説明する各実施形態についても、特徴部分のみを説明し、他の実施形態と同様の構成、作用、及び効果についての説明は適宜省略する。
【００４８】
図３に示される呼吸補助装置２は、第１実施形態に係る呼吸補助装置１と比較すると、チャンバー形成部材１７に代えてチャンバー形成部材２７を備えている点で異なる。
【００４９】
チャンバー形成部材２７は、袋１６の内側に取り付けられた複数の突起２７ａから構成される。
【００５０】
［第３実施形態］次に、図４を用いて、本発明の実施形態に係るフィルター構造を採用した呼吸補助装置３の構成について説明する。図４は、呼吸補助装置３の内部を示す概略図である。
【００５１】
図４に示される呼吸補助装置３は、送風機１０と、制御ボックス（図示省略）と、マスク３６と、プロング３７と、などを備えている。
【００５２】
送風機１０は、マスク３６の内側に取り付けられている。すなわち、送風機１０は、マスク３６と患者の顔面との間に形成されるチャンバーＣＡＭ内に設けられる。送風機１０が有する吸気口１０ａは、チャンバーＣＡＭ内の気体を取り込む。
【００５３】
制御ボックス（図示省略）は、マスク３６の外部に独立して設けられている。この制御ボックス内の制御ユニットは、接続コード（図示省略）によって、送風機１０内のモーター（図示省略）と電気的に接続されている。
【００５４】
マスク３６は、バンドなどの固定具（図示省略）によって、患者の顔面に固定される。そして、マスク３６は、患者の口又は鼻を覆って当該患者の顔面との間にチャンバーＣＡＭを形成する。このマスク３６は、不織紙などのフィルターから構成される。なお、マスク３６は、少なくとも一部がフィルターから構成されていればよい。そして、マスク３６は、強度を補強するためのフレームなどを適宜設けるようにしてもよい。また、マスク３６は、フィルター以外の部分が気体を通すことはない。
【００５５】
プロング３７の基端には送風機１０の送気口１０ｂが接続されており、プロング３７の先端は患者の鼻に挿入される。そして、プロング３７は、送風機１０の送気口１０ｂから送り出された気体を、患者の鼻に導く。
【００５６】
なお、呼吸補助装置３は、送風機１０及びマスク３６の間に介在し、送風機１０の吸気口１０ａと、マスク３６のフィルター部分と、の間のチャンバーＣＡＭを維持するチャンバー形成部材を備えるようにしてもよい。チャンバー形成部材は、送風機１０の外側に設けられていてもよいし、マスク３６の内側に設けられていてもよい。
【００５７】
次に、図４を用いて、呼吸補助装置３における気体の流れを説明する。
【００５８】
送風機１０の動作に起因して、マスク３６の外部の気体は、マスク３６を透過してマスク３６の内部に形成されたチャンバーＣＡＭに取り込まれる。チャンバーＣＡＭに取り込まれた気体は、吸気口１０ａを介して送風機１０に取り込まれる。送風機１０に取り込まれた気体は、圧縮されて、送気口１０ｂ、プロング３７などを経由して患者の呼吸器に供給される。
【００５９】
［第４実施形態］次に、図５を用いて、本発明の実施形態に係るフィルター構造を採用した呼吸補助装置４の構成について説明する。図５は、呼吸補助装置４の内部を示す概略図である。
【００６０】
図５に示される呼吸補助装置４は、送風機１０と、制御ボックス（図示省略）と、マスク４５と、カバー４６と、チャンバー形成部材４７と、などを備えている。
【００６１】
送風機１０は、マスク４５に設けられている。吸気口１０ａは、マスク４５の外側に面するように配置されている。この吸気口１０ａは、マスク４５の外側から気体を取り込む。送気口１０ｂは、マスク４５の内側に面するように配置されている。この送気口１０ｂは、マスク４５の内側に気体を送り出す。このような送風機１０は、吸気口１０ａから取り込んだ気体を圧縮し圧縮された気体をマスク４５の内側を経由させて患者の呼吸器に供給する。
【００６２】
マスク４５は、患者の口又は鼻を覆って当該患者の顔面との間にチャンバーＣＡＭ１を形成する。
【００６３】
カバー４６は、マスク４５を包み込む。このカバー４６は、少なくとも一部が不織紙などのフィルター（符号省略）から構成される。なお、カバー４６は、フィルター以外の部分が気体を通すことはない。
【００６４】
チャンバー形成部材４７は、マスク４５及びカバー４６の間に介在し、送風機１０の吸気口１０ａと、カバー４６を構成するフィルター（符号省略）と、の間にチャンバーＣＡＭ２を形成する。チャンバー形成部材４７は、カバー４６の内側に取り付けられた複数の突起４７ａから構成される。
【００６５】
次に、図５を用いて、呼吸補助装置４における気体の流れを説明する。
【００６６】
送風機１０の動作に起因して、カバー４６の外部の気体は、カバー４６を透過してカバー４６の内部に形成されたチャンバーＣＡＭ２に取り込まれる。チャンバーＣＡＭ２に取り込まれた気体は、吸気口１０ａを介して送風機１０に取り込まれる。送風機１０に取り込まれた気体は、圧縮されて、送気口１０ｂ、チャンバーＣＡＭ１などを経由して患者の呼吸器に供給される。
【００６７】
［第５実施形態］次に、図６を用いて、本発明の実施形態に係るフィルター構造を採用した呼吸補助装置５の構成について説明する。図６は、呼吸補助装置５の内部を示す概略図である。
【００６８】
図６に示される呼吸補助装置５は、第４実施形態に係る呼吸補助装置４と比較すると、チャンバー形成部材４７に代えてチャンバー形成部材５７を備えている点で異なる。
【００６９】
チャンバー形成部材４７は、マスク４５の外側に取り付けられた複数の突起４７ａから構成される。
【００７０】
本発明は、上記各実施形態に限られるものではなく、その趣旨及び技術思想を逸脱しない範囲で種々の変形が可能である。
【００７１】
すなわち、上記各実施形態において、各構成の位置、大きさ（寸法）、形状、材質、向き、数量は適宜変更できる。
【００７２】
例えば、上記第１及び第２実施形態において、袋１６は、不織紙１６ａから構成されていることに限定されず、フィルター材料から構成されていればよい。例えば、袋１６は、不織布から構成されていてもよい。
【００７３】
あるいは、上記各実施形態において、チャンバー形成部材１７，２７，４７，５７は、複数の突起１７ａ，２７ａ，４７ａ，５７ａの形状は図示した形状に限定されるものではない。また、チャンバー形成部材１７，２７，４７，５７は、複数の突起１７ａ，２７ａ，４７ａ，５７ａから構成されることに限定されるものではない。
【００７４】
次に、図７（Ａ）及び図７（Ｂ）を用いて、チャンバー形成部材の変形例について説明する。図７（Ａ）及び図７（Ｂ）は、チャンバー形成部材の変形例を示す概略図である。なお、第１実施形態の呼吸補助装置１を例に説明する。
【００７５】
図７（Ａ）に示されるように、チャンバー形成部材の一つ目の変形例は、符号６７で示される。このチャンバー形成部材６７は、筐体１５の外側に複数の基軸６７ａが設けられ、当該複数の基軸６７ａの先端にプレート６７ｂが一つずつ設けられている。各プレート６７ｂは、袋１６を支持する。これら各プレート６７ｂには、複数の通気孔６７ｂ１が形成されている。
【００７６】
図７（Ｂ）に示されるように、チャンバー形成部材の二つ目の変形例は、符号７７で示される。このチャンバー形成部材６７は、送風機１０又は制御ボックス１１の外側に複数の基軸７７ａが設けられ、当該複数の基軸７７ａの先端に箱形のフレーム７７ｂが設けられている。このフレーム７７ｂは、例えばメッシュ構造（図示省略）であり、通気性を有する。このフレーム７７ｂは、袋１６を支持する。なお、この変形例の場合、筐体１５を備えていないことになる。
【００７７】
あるいは、上記各実施形態の構成要素を、可能な範囲で他の実施形態に適用してもよい。
【００７８】
例えば、第１実施形態に係る呼吸補助装置１は、第２実施形態に係る呼吸補助装置２のチャンバー形成部材２７を備えるようにしてもよい。すなわち、筐体１５の外側に取り付けられた複数の突起１７ａから構成されるチャンバー形成部材１７と、袋１６の内側に取り付けられた複数の突起２７ａから構成されるチャンバー形成部材２７と、の双方を備えるようにしてもよい。
【００７９】
あるいは、第４実施形態に係る呼吸補助装置４は、第５実施形態に係る呼吸補助装置５のチャンバー形成部材５７を備えるようにしてもよい。すなわち、カバー４６の内側に取り付けられた複数の突起４７ａから構成されるチャンバー形成部材４７と、マスク４５の外側に取り付けられた複数の突起５７ａから構成されるチャンバー形成部材５７と、の双方を備えるようにしてもよい。
【符号の説明】
【００８０】
１０  送風機
１０ａ  吸気口
１５  筐体
１５ａ  通気口
１６  袋
１６ａ  不織紙（フィルター材料）
１７，２７，４７，５７  チャンバー形成部材
３６，４５  マスク
４６  カバー
ＣＡＭ，ＣＡＭ２  チャンバー
【図１】
2015123154.tif 000003
【図２】
2015123154.tif 000004
【図３】
2015123154.tif 000005
【図４】
2015123154.tif 000006
【図５】
2015123154.tif 000007
【図６】
2015123154.tif 000008
【図７】
2015123154.tif 000009